(57)【特許請求の範囲】
【請求項１】
機枠に回転円盤の回転中心軸を、垂直方向から傾斜した状態で軸支することで、上記回転円盤を水平から所定角度傾斜した状態で回転可能に支持すると共に、上記回転中心軸の回転駆動手段を設け、
上記回転円盤の上面において、低位置側の上記回転円盤の周縁より手前側の位置から、高位置側の上記回転円盤の周縁より外側の位置に至るまで、上記回転円盤の上面を横切る一対の規制板を、上記両規制板が左右方向の所定の間隔を以って、かつ上記両規制板の各下縁が上記回転円盤の上記上面に近接するように上記機枠に配置固定し、
上記回転円盤の上記上面において上記低位置側の上記両規制板の間から、上記高位置側の上記両規制板の間への空気流を形成するための空気噴出口を上記回転円盤の上記低位置側に設置し、
回転中の上記回転円盤の上記上面における上記両規制板間に原料を投入し得るように構成したものであることを特徴とする風力選別装置。
【請求項２】
上記回転円盤の水平面に対する傾斜角度を変更可能に構成したものであることを特徴とする請求項１記載の風力選別装置。
【請求項３】
上記両規制板は、上記低位置側の間隔が狭く、上記高位置側の間隔が広くなるように配置固定されたものである請求項１又は２記載の風力選別装置。
【請求項４】
上記回転円盤の上記高位置側の上記両規制板間に対応して異物の収集部を設け、
上記回転円盤の上記低位置側の上記両規制板間に対応して重量物の収集部を設けたものであることを特徴とする請求項１〜３の何れかに記載の風力選別装置。
【請求項５】
上記両規制板は、上記回転円盤を左右に分割する二等分割線に対して左側の位置と右側の位置に各々設けられているものである請求項１〜４の何れかに記載の風力選別装置。
【発明の詳細な説明】
【技術分野】
【０００１】
本発明は、傾斜した回転円盤に風を送ることで、該回転円盤上に供給される原料と異物とを選別するための風力選別装置に関するものである。
【背景技術】
【０００２】
従来、風力を使用して廃棄物等の重量物と軽量物を分離する装置が各種提案されている。例えば、ケーシングの上部に廃棄物の投入口を設け、投入口の下方の空気噴射口から空気を噴射し、上記投入口から投入される廃棄物の内、風力の影響を受け難い重量物を直下の回収口に落下させ、風力の影響を受け易い軽量物を遠方の回収口に回収するように構成した風力選別装置が提案されている（特許文献１）。
【０００３】
また、網状の回転テーブルを回転しつつ、該テーブルの下方からテーブル上方に空気を噴射し、上記回転テーブル上に供給される廃棄物の内、重量物とプラスチックフィルムとの絡みをほぐし、大きい重量物は掻板によりテーブル外側の排出部に案内し、小さい重量物は網状のテーブルを通過させて下方で回収し、軽いプラスチックフィルムは回転テーブルの側方の排出口にて回収する廃棄物分離装置が提案されている（特許文献２）。
【先行技術文献】
【特許文献】
【０００４】
【特許文献１】特開２００５−２４６２３６号公報
【特許文献２】特開２００１−４６９７３号公報
【発明の概要】
【発明が解決しようとする課題】
【０００５】
ところで、特許文献１の風力選別装置は、原料を自由落下させて側方から風を送り、重量物と軽量物の慣性力の違いを利用して選別するものであるが、このような従来装置は、軽量物の比重によっては相当大きな風力が必要であること、またプラスチックフィルムと木片のように軽量物の性状が大きく異なる場合、風圧が十分に生かされず、正確な分別ができない場合があること、軽量物が重量物の陰に隠れ、これらの軽量物に十分に風圧が作用せず、結果として軽量物の分別が十分に行われない等の課題があった。
【０００６】
特許文献２の風力選別装置は、網状の回転テーブルが水平に回転するものであるから、網目を通過しない大きさの物体（例えば網目より大きな塊状物体と棒状の木片等）の選別は行うことができないという課題がある。
【０００７】
本発明は、上記従来の課題に鑑みてなされたものであり、傾斜した回転円盤の上面に原料を落下させると共に、上記回転円盤の盤面に沿う方向に風を噴射することにより、比較的小さな風量にて正確な分別が可能な風力選別装置を提供することを目的とする。
【課題を解決するための手段】
【０００８】
上記の目的を達成するため本発明は、
第１に、機枠に回転円盤の回転中心軸を、垂直方向から傾斜した状態で軸支することで、上記回転円盤を水平から所定角度傾斜した状態で回転可能に支持すると共に、上記回転中心軸の回転駆動手段を設け、上記回転円盤の上面において、低位置側の上記回転円盤の周縁より手前側の位置から、高位置側の上記回転円盤の周縁より外側の位置に至るまで、上記回転円盤の上面を横切る一対の規制板を、上記両規制板が左右方向の所定の間隔を以って、かつ上記両規制板の各下縁が上記回転円盤の上記上面に近接するように上記機枠に配置固定し、上記回転円盤の上記上面において上記低位置側の上記両規制板の間から、上記高位置側の上記両規制板の間への空気流を形成するための空気噴出口を上記回転円盤の上記低位置側に設置し、回転中の上記回転円盤の上記上面における上記両規制板間に原料を投入し得るように構成したものであることを特徴とする風力選別装置により構成される。
【０００９】
このように構成すると、例えばコンベア等により回転中の回転円盤上に原料を投入すると、軽量異物は風圧により回転円盤の高位置側に飛ばされ、回転円盤上に落下する中量異物又は回転円盤上に落下して転がる中量異物は、「風力＞重力」となるように風力と、回転円盤の傾斜角度と回転円盤の回転数を設定しておくことにより、風圧により高位置側に飛ばされる。よって、比較的小さな風量で、規制板の高位置側にて軽量異物及び中量異物を回収することができる。また、上記回転円盤の傾斜角度は、重量物については「重力＞風力」となるように設定しておくことで、重量物は傾斜した回転円盤を下降して規制板の低位置側にて重量物を回収することができる。また、重量物は回転円盤上を転がって外周方向に拡散することにより、重量物と軽量異物とが解れて重量物と軽量異物を容易に分離することができる。
【００１０】
第２に、上記回転円盤の水平面に対する傾斜角度を変更可能に構成したものであることを特徴とする上記第１記載の風力選別装置により構成される。
【００１１】
回転円盤の傾斜角度の変更は、例えば回転円盤を支持する機枠の一方の脚部（延長脚４，４）の下端に複数枚の角度調整板を積層し、この角度調整板を増減することにより、上記回転円盤の傾斜角度を調整することができる。このように構成すると、回転円盤の角度を原料の性状により、最適の角度に調整することが可能となる。
【００１２】
第３に、上記両規制板は、上記低位置側の間隔が狭く、上記高位置側の間隔が広くなるように配置固定されたものである上記第１又は２記載の風力選別装置により構成される。
【００１３】
回転円盤上に投入された原料は、例えば、回転円盤の回転方向に沿って、回転円盤の高位置側のエリアを通過して一方の規制板に当接する。よって、規制板間の高位置側の面積を広くとることにより、かかる高位置側のエリアの通過時間を長くすることができ、これにより、原料を十分に回転円盤上で動かして（例えば転がして）、例えば重量物から軽量異物を分離することができる。
【００１４】
第４に、上記回転円盤の上記高位置側の上記両規制板間に対応して異物の収集部を設け、上記回転円盤の上記低位置側の上記両規制板間に対応して重量物の収集部を設けたものであることを特徴とする上記第１〜３の何れかに記載の風力選別装置により構成される。
【００１５】
異物の収集部は、例えば軽量物搬送コンベア、重量物の収集部は例えば重量物搬送コンベア等により構成することができる。異物は例えば軽量異物、中量異物により構成される。このように構成すると、軽量異物及び中量異物と重量物とを確実に分別することができる。
【００１６】
第５に、上記両規制板は、上記回転円盤を左右に分割する二等分割線に対して左側の位置と右側の位置に各々設けられているものである上記第１〜４の何れかに記載の風力選別装置により構成される。
【００１７】
このように構成すると、高位置側の規制板間に軽量物搬送コンベアを設け、低位置側の規制板間に重量物搬送コンベアを設けることで、異物と重量物とを正確に分別し収集することが可能となる。
【発明の効果】
【００１８】
本発明によれば、回転円盤を傾斜状態で回転させ、その傾斜回転円盤の低位置側から高位置側に空気を噴射することにより、異物が傾斜状態の回転円盤上を転がりながら或いはすべりながら上昇するように構成したので、比較的小さな風量にて、重量物と中量異物、又は重量物と軽量異物を正確に分別することができるし、重量物とプラスチック片或いは木片等の中量異物を正確に分別することができる。
【００１９】
また、異物の性状等により、回転円盤の傾斜角度を変更することができ、各種の性状の原料に対応することが可能である。
【００２０】
回転円盤上の規制板が末広がり状に設けられているので、回転円盤上に落下した原料の該円盤の高位置側のエリアの通過時間を長くすることができ、これにより、原料を十分に回転円盤上で転がせて或いはすべらせて、例えば重量物に絡まった軽量異物を確実に分離することができる。
【００２１】
また、回転円盤の高位置側と低位置側において、軽量異物及び中量異物と重量物とを確実に分別し収集することができる。
【００２２】
また、高位置側の規制板間に対応して軽量物搬送コンベア又はシュートを設け、低位置側の規制板間に対応して重量物搬送コンベア又はシュートを設けることで、異物と重量物とを正確に分別し収集することが可能となる。
【図面の簡単な説明】
【００２３】
【図１】本発明に係る風力選別装置の側面図である。
【図２】図１を矢印Ｒ方向から見た平面図である。
【図３】図１を矢印Ａ−Ａ方向から見た背面図である。
【図４】同上装置の規制板と回転円盤との関係を示す図である。
【発明を実施するための形態】
【００２４】
以下、本発明に係る風力選別装置について詳細に説明する。
【００２５】
尚、以下の説明では、図１において、方形機枠１の低位置側を「前方」、方形機枠１の高位置側の「後方」、前方から後方を向いた場合の左右を「左右方向」と定義する。
【００２６】
図１、図２に示すように、方形機枠１を水平面からなる地面Ｇに対して角度θ傾斜した状態で支持する。具体的には、角度θ傾斜した方形機枠１の低位置側の左右隅部裏面から鉛直下向に２本の脚２，２を接続し、これら２本の脚２，２を上記地面Ｇ上に載置し、上記方形機枠１の高位置側の左右隅部裏面から当該機枠１に直交する方向に２本の脚３，３を接続し、かつ上記脚３，３の下端に鉛直下向に各々延長脚４，４を接続し、該延長脚４，４の下端を上記地面Ｇ上に載置し、これにより上記方形機枠１を水平面に対して角度θ傾斜した状態で地面Ｇ上に固定し得るように構成する。
【００２７】
上記延長脚４，４の下端の地面Ｇは、地面Ｇレベルより低い凹部５を形成し、該凹部５内に複数枚の角度調整板６を積層し、該角度調整板６の上に上記延長脚４，４を載置するように構成する。これにより、上記角度調整板６の枚数を増減調整することで、上記方形機枠１を上記脚２，２の下端を支点として、矢印Ｊ又は矢印Ｋ方向に回動させ、これにより後述の回転円盤１１の角度（水平面に対する角度θ）を調整し得るように構成している。
【００２８】
上記方形機枠１には、該方形機枠１の一辺の長さと同じ直径の支持円盤７が、当該方形機枠１の対角線の交点に中心Ｐが位置するように、上記方形機枠１上の接触部７ａの４か所にて溶接にて固定されている（図２参照）。
【００２９】
この支持円盤７の中心Ｐには、該支持円盤７に直交する方向の上記中心Ｐを共通中心軸とする中心回転軸８が上方に突設されており、当該中心回転軸８の下端は上記支持円盤７の下側に設けられたスラスト軸受９（図３参照）に回転自在に軸支されている。
【００３０】
上記中心回転軸８の上端部には、小円盤１０ａとその裏面側の筒状部１０ｂとからなる回転盤受座１０を、上記小円盤１０ａの中心が上記中心Ｐ（共通中心軸）に一致するように、その筒状部１０ｂを上記中心回転軸８の上端部に挿通固定し、上記小円盤１０ａ上に回転円盤１１を、上記中心回転軸８と共通中心となるようにボルトＢを以って固定する。
上記回転盤受座１０の小円盤１０ａは、上記方形機枠１とは平行なので、上記回転円盤１１も上記方形機枠１と平行、即ち、水平面に対して角度θ傾斜した状態で、上記中心回転軸８上に固定される。また上記回転円盤１１と上記中心回転軸８は共通中心軸となっているので、上記回転円盤１１と上記支持円盤７は同心円となっている。
【００３１】
上記中心回転軸８の下端は、上記スラスト軸受９の下端から下方に延出し、当該下端にプーリ１２が接続されている（図３参照）。
【００３２】
一方、上記方形機枠１の側面にはＬ型アングル１３を固定し、当該Ｌ型アングル１３に駆動モータＭを固定し、該モータＭの駆動軸にプーリ１４を下向きに接続する。そして、上記中心回転軸８の上記プーリ１２と上記駆動モータＭのプーリ１４間にＶベルト２３を掛け渡し、上記駆動モータＭの駆動によって上記回転円盤８を矢印Ｆ方向に回転し得るように構成する（図２、図３参照）。
【００３３】
上記方形機枠１の低位置側の一辺１ａ側の上記支持円盤７上には、上記中心Ｐを通り、上記回転円盤１１を左右方向に均等に二分割する二等分割線Ｌを中心に（図２参照）、左右対称位置に、一定の間隔Ｔ１を以って上記方形機枠１に直交するブラケット１５ａ，１５ｂを固定し、両ブラケット１５ａ，１５ｂの上端部から上記回転円盤１１の上面１１ａに沿って上記回転円盤１１の低位置側から高位置側に向けて規制板１６ａ，１６ｂを固定する。
【００３４】
尚、上記両規制板１６ａ，１６ｂは、上記二等分割線Ｌに対して左右対称位置に設けることは必ずしも必要なく、両規制板は、上記回転円盤を左右に二分割する二等分割線Ｌに対して、左右対称ではない任意の左側の位置（規制板１６ａ）と任意の右側の位置（規制板１６ｂ）に各々設けても良い。この規制板１６ａ，１６ｂの設置位置、設置角度は、選別すべき原料の性状によって適宜設定することができる。
【００３５】
より具体的には、上記回転円盤１１の上面１１ａを、低位置側の上記回転円盤１１の周縁１１ｂより手前側の位置Ｎ１，Ｎ１から、高位置側の回転円盤１１の周縁１１ｃより外側の位置Ｎ２，Ｎ２に至るまで、上記回転円盤１１の上面１１ａを横切る一対の規制板１６ａ，１６ｂを、両規制板１６ａ，１６ｂが上記回転円盤１１上を左右に所定の間隔を以って、かつ両規制板１６ａ，１６ｂの各下縁１６ａ’１６ｂ’が上記回転円盤１１の上面１１ａに近接（間隔ｔ）するように配置固定される（図４参照）。
【００３６】
上記高位置側の上記規制板１６ａ，１６ｂの左右の間隔Ｔ２は、上記低位置側の間隔Ｔ１より大（Ｔ２＞Ｔ１）であり、従って、上記規制板１６ａ，１６ｂの間隔は、低位置側から高位置側に向けて末広がり状に固定されている。そして、上記左右の規制板１６ａ，１６ｂは、上記二等分割線Ｌを中心に、左右対称位置に設けられており、両規制板１６ａ，１６ｂの上記下縁１６ａ’，１６ｂ’の左右同一長さの範囲Ｓ１，Ｓ２が上記回転円盤１１上に位置している。
【００３７】
上記規制板１６ａ，１６ｂは図２に示すように、上記ブラケット１５ａ，１５ｂから一定距離は平行部１６’，１６’を有しており、該平行部１６’，１６’から左右方向に末広がり状に設けられている。
【００３８】
上記両規制板１６ａ，１６ｂの上記下縁１６ａ’，１６ｂ’と上記回転円盤１１の上面１１ａとの距離ｔは、除去すべき最小の異物の大きさ（例えば直径）より小の距離とすることが好ましい（図４参照）。
【００３９】
上記規制板１６ａ，１６ｂの低位置側（間隔Ｔ１の位置）に対応して、空気噴射口１７を設置する（図１、図２参照）。この空気噴射口１７は上記方形機枠１とは別の機枠１８により当該位置に固定設置されており、当該空気噴射口１７の後方にはダクト１９が接続され、該ダクト１９の端部には図示しない送風ファンが設けられている。従って、上記空気噴射口１７からは回転円盤１１の上面１１ａ方向（矢印Ｄ方向）に空気が噴射されるように構成されている。
【００４０】
上記空気噴射口１７から噴射された空気は、上記規制板１６ａ，１６ｂ間の低位置側の間隔Ｔ１から上記回転円盤１１上に流入し、上記回転円盤１１に沿って高位置側に流通し、上記規制板１６ａ，１６ｂの高位置側の間隔Ｔ２から回転円盤１１の外部方向に流出していく（矢印Ｄ参照）。
【００４１】
上記回転円盤１１の上方には原料投入用のコンベア２０が設置されており（図１参照）、当該コンベア２０から回転中の上記回転円盤１１上における、上記規制板１６ａ，１６ｂ間における右側のエリアＥ（図２参照）に原料を落下させるものである。
【００４２】
よって、空気噴出口１７から噴射される空気は、上記回転円盤１１とその上方の上記コンベア２０との間において、低位置側から高位置側（矢印Ｄ方向）に向けて噴射される。
【００４３】
上記原料を落下させると、軽量物は、上記規制板１６ａ，１６ｂの高位置側の間隔Ｔ２から回転円盤１１の外部に飛ばされるため、上記間隔Ｔ２より後方向（回転円盤１１の高位置側）に異物排出シュート２１又は異物搬送コンベア２１等を設ける。一方、重量物は、上記規制板１６ａ，１６ｂの低位置側の間隔Ｔ１から回転円盤１１の外部に排出されるため、上記間隔Ｔ１より前方向（回転円盤１１の低位置側）に重量物排出シュート２２又は重量物搬送コンベア２２等を設けることができる。
【００４４】
本発明の風力選別装置は、上述のように構成されるものであり、次にその動作を説明する。
【００４５】
ここで、本発明において風力選別装置に供給される原料は、例えば産業廃棄物であり、重量物として砕かれた比較的大きなコンクリート塊、中量物（中程度の重量の異物、中量異物）としては、扁平（例えば棒状等）の木片やスチール片を含み、さらに軽量物（軽量異物）として風圧によって容易に飛ばされるプラスチックフィルム、紙片等を含むものとする。なお、これら産業廃棄物を総称して「原料」という。そして、本発明の風力選別装置は、これらの原料から、製品となり得るコンクリート塊（重量物）と、製品にならない異物としての扁平の木片、スチール片（中量異物）、プラスチックフィルム、紙片（軽量異物）とを選別することを目的とする。
【００４６】
まず、駆動モータＭを駆動して、中心回転軸８を矢印Ｆ方向に一定回転数で回転する。また、送風ファンを駆動して上記空気噴射口１７から回転円盤１１の方向（矢印Ｄ方向）に空気を噴射して、回転円盤１１上に低位置側から高位置側への空気の流れを形成する。
【００４７】
その後、上記空気流の上方のコンベア２０から、上記回転円盤１１上のエリアＥ上に原料を落下供給する。
【００４８】
このときプラスチックフィルム、紙片等の異物としての軽量異物は自然落下途中で風に乗り、後方に飛ばされて、回転円盤１１上に落下することなく異物搬送コンベア２１上に落下して当該コンベア２１にて異物収集場所に搬送される（図１、矢印Ｑ方向）。
【００４９】
上記軽量異物以外の原料、即ち、中量異物としての木片、スチール片等は風に乗らずに回転円盤１１上に落下する。
【００５０】
このとき異物としての扁平の木片、スチール片等（中量物）は回転円盤１１上に着地して一瞬静止するが、回転円盤１１の矢印Ｆ方向の回転による遠心力(回転円盤１１の外向き半径方向)及び矢印Ｄ方向の風力により風下の方向（高位置側）にすべりながら飛ばされ、回転円盤１１の高位置側から異物搬送コンベア２１上に落下して当該コンベア２１にて異物収集場所に搬送される（矢印Ｑ方向）。
【００５１】
回転円盤１１上に落下した後、回転円盤１１の回転により矢印Ｆ方向に移動する異物も存在するが、これらの異物は、左側の規制板１６ａに当接し、この位置から、同様に、回転円盤１１の遠心力及び風力により、矢印Ｄ方向にすべりながら飛ばされて上記異物搬送コンベア２１上に落下する。
【００５２】
尚、回転円盤１１の傾斜角度θが大きすぎると、上記扁平の異物が回転円盤１１上を下降するので、上記傾斜角度θは上記扁平の異物が回転円盤１１上を下降しない程度の角度とする。
【００５３】
また、上記中量異物であっても比較的丸いもの等は、回転円盤１１の回転に基づいて該回転円盤１１上で転がりはじめるものも存在する。このとき、転がっている中量異物と回転円盤１１の上面１１ａとは動摩擦状態となるので、中量異物は風圧の影響を受け易くなる。よって、回転円盤１１上で転がり始めた中量異物は、比較的小さい風量であっても、容易に回転円盤１１上を高位置側に上昇させ、上記異物搬送コンベア２１上に落下させることができる。
【００５４】
このように中量異物が回転円盤１１上で転がった状態においても、回転円盤１１の傾斜により中量異物には下向きの重力が作用するが、回転円盤１１の傾斜は、このような転がった状態の中量異物が低位置側に下降しない程度の角度θとする必要がある。
【００５５】
即ち、回転円盤１１上に落下すると、回転円盤１１の矢印Ｆ方向の回転により、円盤上で転がり始めるような中量異物は、回転円盤１１との摩擦力は動摩擦状態となるので、このような中量異物に作用する重力（下降方向）と風力（上昇方向）との関係により、回転円盤１１上を下降するか、上昇するかが決定される。
【００５６】
このとき、中量異物はあくまでも異物であるので、回転円盤１１の傾斜角度θ、風力（風量）、回転円盤１１の回転数を「風力＞重力」となるように設定しておく。よって、中量異物は回転円盤１１上を風力により転がりながら或いはすべりながら上昇し、回転円盤１１の高位置側から異物搬送コンベア２１上に落下し、異物収集場所に搬送される。
【００５７】
また、コンクリート塊（重量物）と軽量異物（例えばフィルム片）が絡み合っている原料、或いは、コンクリート塊の背後に軽量物が位置しているような場合であっても、コンクリート塊が回転円盤１１上に落下して転がり又はすべることで、コンクリート塊と軽量異物とを分離することができる。尚、分離した軽量物は風力により高位置側に飛ばされ、上記軽量異物搬送コンベア２１上に落下させることができる。
【００５８】
重量物としてのコンクリート塊は、回転円盤１１上に落下すると、一瞬静止した後、回転円盤１１の傾斜に基づく自らの重量によって回転円盤１１上を下降し、回転円盤１１の低位置側から製品搬送コンベア２２上に落下し、製品収集場所に搬送される（図１、矢印Ｙ方向）。
【００５９】
重量物としてのコンクリート塊であって、回転円盤１１上に落下した後、転がって回転円盤１１と動摩擦状態となるものも存在するが、重量物の場合は、回転円盤１１の角度θによって「重力＞風力」となるように設定しておけば良い。回転円盤１１をこのような角度θに設定することにより、重量物は回転円盤１１上を下降して、同様に回転円盤１１の低位置側から重量物搬送コンベア２２上に落下させることができる。よって、重量物としてのコンクリート塊は上記コンベア２２により、製品収集場所に搬送することができる。
【００６０】
回転円盤１１の傾斜角度θを調整する場合、例えば風圧により上昇する重量物が存在する場合は、傾斜角度θが小さすぎるので、延長脚４，４の下端の角度調整板６を増やして傾斜角度θを大きくして回転円盤１１の傾斜角度を大きくする方向に調整することができる。この場合、空気噴射口１７の噴射空気の風圧が大きすぎることも考えられるので、回転円盤１１の傾斜角度θはそのままで、風圧（風量）を低下させることも考えられる。
【００６１】
逆に、中量異物までもが重力により下降する傾向にある場合は、傾斜角度θが大きすぎるので、延長脚４，４の下端の角度調整板６を減らすことで傾斜角度θを小さくして回転円盤１１の傾斜角度を小さくする方向に調整することができる。この場合、空気噴射口１７の噴射空気の風圧が小さすぎることも考えられるので、回転円盤１１の傾斜角度θはそのままで、風圧（風量）を増加させることもできる。
【実施例】
【００６２】
重量物としてコンクリート塊、中量異物として扁平なプラスチック片、木片等、軽量異物としてプラスチックフィルム、紙片等が含まれる原料を使用し、空気噴射口１７から一定の風圧の空気を噴射し、駆動モータＭにより回転円盤１１を矢印Ｆ方向に一定回転数で回転させた状態で、コンベア２０から原料を、回転円盤１１のエリアＥ内に落下供給する実験を行った。
【００６３】
その結果、回転円盤１１の傾斜角度θを、２７度±５度とすることにより、重量物と中量異物及び軽量異物を正確に分別することができた。
【００６４】
以上のように、本発明によれば、回転円盤１１を傾斜状態で回転させ、その傾斜回転円盤１１の低位置側から高位置側に空気を噴射することにより、異物が傾斜状態の回転円盤１１上を転がりながら或いはすべりながら上昇するように構成したので、比較的小さな風量にて、重量物を回転円盤の低位置側（前方側）に収集し、中量異物及び軽量異物を回転円盤の高位置側（後方側）に収集することにより、重量物と中量異物、又は重量物と軽量異物を正確に分別することができる。
【００６５】
また、異物の性状等により、回転円盤１１の傾斜角度θを変更することができ、各種の性状の原料に対応することが可能である。
【００６６】
回転円盤１１上の規制板１６ａ，１６ｂが末広がり状に設けられているので、回転円盤１１上に落下した原料の該円盤１１の高位置側のエリアの通過時間を長くすることができ、これにより、原料を十分に回転円盤１１上で動かして、即ち、回転円盤１１上で転がして或いはすべらせて、例えば重量物に絡まった軽量異物を確実に分離することができる。
【００６７】
また、回転円盤１１の高位置側と低位置側において、軽量異物及び中量異物と重量物とを確実に分別することができる。
【００６８】
また、高位置側の規制板１６ａ，１６ｂ間に対応して異物搬送コンベア２１又はシュートを設け、低位置側の規制板１６ａ，１６ｂ間に対応して重量物搬送コンベア２２又はシュートを設けることで、異物と重量物とを正確に分別し収集することが可能となる。尚、図１中、符号２４は支持円盤７の裏面側のカバーである。
【産業上の利用可能性】
【００６９】
本発明に係る風力選別装置によれば、重量物と、中軽量異物を正確に分別することができ、しかも原料の性状により、回転円盤の角度及び／又は風力を調整することにより、多種の性状の原料の分別に対応することが可能となり、各種混合材料の分別装置として広く利用し得るものである。
【符号の説明】
【００７０】
１              機枠
１１            回転円盤
１１ａ          上面
１１ｂ，１１ｃ  周縁
１６ａ，１６ｂ  規制板
１６ａ’，１６ｂ’  下縁
１７            空気噴出口
２１            異物搬送コンベア
２２            重量物搬送コンベア
Ｍ              駆動モータ
Ｐ              回転中心軸
Ｎ１，Ｎ２      位置
θ              傾斜角度
Ｌ              二等分割線
【図１】
0006431822.tif 000002
【図２】
0006431822.tif 000003
【図３】
0006431822.tif 000004
【図４】
0006431822.tif 000005